(57)【特許請求の範囲】
【請求項１】
鋼材よりなる梁及び柱を連結して形成された建物ユニットを用いて構築され、前記梁のウェブ部には、当該梁の長手方向に所定間隔で外壁固定用の複数の孔部が設けられており、前記孔部を用いて外壁部材が固定されるユニット式建物に適用され、
前記梁は溝形鋼よりなり、その溝形鋼の溝部の開口側に、上下のフランジ部に跨がるようにして、屋内側構造物を支持するための支持具が固定されており、
前記支持具は、前記梁の長手方向において前記孔部と干渉しない位置に固定されていることを特徴とするユニット式建物の構造。
【請求項２】
前記支持具は、前記梁の長手方向の長さ寸法が、前記孔部どうしの間隔よりも小さいものとなっていることを特徴とする請求項１に記載のユニット式建物の構造。
【請求項３】
前記外壁部材は、前記ユニット式建物のモジュール寸法に基づき定められた幅寸法を有し、
建物外壁部において複数の前記外壁部材が横並びに配置されており、
前記外壁部材どうしの見切りとなりえる基準位置に、前記支持具が固定されていることを特徴とする請求項１又は２に記載のユニット式建物の構造。
【請求項４】
多層階建てであって、前記屋内側構造物として上階部及び下階部を繋ぐ階段構造部を有する前記ユニット式建物に適用され、
前記上階部及び前記下階部の境界部には、前記階段構造部において踏み板を固定するための下地面材が上下方向に延びる向きで設けられており、
前記支持具は、前記屋内側構造物としての前記下地面材を支持するものであることを特徴とする請求項１乃至３のいずれか１項に記載のユニット式建物の構造。
【請求項５】
前記梁は、前記建物ユニットの天井大梁及び床大梁の少なくともいずれかの大梁であり、
前記階段構造部は、前記建物ユニットにおいて前記大梁どうしの入隅部分に配置される前記踏み板を有し、
前記入隅部分に配置される踏み板の二辺に沿って延びる前記各大梁に、それぞれ前記支持具が固定されていることを特徴とする請求項４に記載のユニット式建物の構造。
【請求項６】
前記建物ユニットは、前記梁として天井大梁及び床大梁の少なくともいずれかの大梁を有するとともに、その大梁に直交する向きに取り付けられる小梁を有しており、
前記階段構造部は、前記建物ユニットにおいて前記大梁と前記小梁との入隅部分に配置される前記踏み板を有し、
前記入隅部分に配置される踏み板の二辺に沿って延びる前記大梁と前記小梁とに、それぞれ前記支持具が固定されていることを特徴とする請求項４に記載のユニット式建物の構造。
【請求項７】
前記入隅部分に配置される前記踏み板は、昇降の向きを変えるための踊り場踏み板であることを特徴とする請求項５又６に記載のユニット式建物の構造。
【発明の詳細な説明】
【技術分野】
【０００１】
本発明は、ユニット式建物の構造に関するものである。
【背景技術】
【０００２】
鋼材よりなる複数の建物ユニットを用いて構築されるユニット式建物では、建物ユニットの梁（天井大梁及び床大梁）として溝形鋼が用いられる。またユニット式建物において、下階から上階にわたる吹き抜け空間を設ける場合に、梁の溝部開口側に、吹き抜け空間に設けられる屋内側構造物を支持するためのブラケット（支持具）を取り付ける技術が知られている。ここで、ユニット式建物では建物施工の工業化率を高めることが重要視されており、建物ユニットを製造するユニット製造工場において、溶接により梁に対してブラケットを固定することが行われている。
【０００３】
また、例えば特許文献１には、ユニット式建物の改装時において実現容易な補強構造として、溝形鋼よりなる梁の開口側に、梁の長手方向に沿って補強部材を配置する構成とし、その上で、梁のウェブと補強部材とを曲げ板状の連結部材と締結部材（ビス）とを用いて連結する技術が提案されている。そしてかかる技術により、火器を用いた溶接作業を行わずに、梁に対して補強部材を容易に取り付けることができるものとしている。
【先行技術文献】
【特許文献】
【０００４】
【特許文献１】特開２０１１−２０８３９６号公報
【発明の概要】
【発明が解決しようとする課題】
【０００５】
しかしながら、ユニット式建物においては、外壁構造として建物ユニットの梁(天井大梁及び床大梁)のウェブ外側面に外壁部材が固定されるようになっており、かかる構成を採用することを考えると、梁の開口側にブラケットや補強部材を取り付けることに起因して、外壁部材の固定作業が不可又は極めて困難になることが考えられる。
【０００６】
また、特許文献１に記載されているように、梁のウェブと補強部材とを連結部材と締結部材（ビス）とを用いて連結する場合には、外壁部材の取り付け後における補強部材の後付けが可能となるが、補強部材の固定方法が連結部材及び締結部材を用いた限定的なものであるため、例えば溶接作業を行う場合に比べて作業効率の低下が懸念される。また、コスト増を招くことも懸念される。
【０００７】
本発明は、上記事情に鑑みてなされたものであり、屋内側構造物を支持する支持具を好適に取り付けることができるユニット式建物の構造を提供することを主たる目的とするものである。
【課題を解決するための手段】
【０００８】
以下、上記課題を解決するのに有効な手段等につき、必要に応じて作用、効果等を示しつつ説明する。なお以下においては、理解の容易のため、発明の実施の形態において対応する構成の符号を括弧書き等で適宜示すが、この括弧書き等で示した具体的構成に限定されるものではない。
【０００９】
第１の発明は、鋼材よりなる梁（２２，２３）及び柱（２１）を連結して形成された建物ユニット（２０）を用いて構築され、前記梁のウェブ部には、当該梁の長手方向に所定間隔で外壁固定用の複数の孔部（２２ａ）が設けられており、前記孔部を用いて外壁部材（４０）が固定されるユニット式建物（１０）に適用され、
前記梁は溝形鋼よりなり、その溝形鋼の溝部の開口側に、上下のフランジ部に跨がるようにして、屋内側構造物を支持するための支持具（３７）が固定されており、
前記支持具は、前記梁の長手方向において前記孔部と干渉しない位置に固定されていることを特徴とする。
【００１０】
屋内側構造物を支持する支持具を、梁の長手方向において壁固定用の孔部と干渉しない位置に固定する構成にしたため、梁に対して外壁部材を固定する際においてその固定作業に支障が及ぶことを抑制できる。また、支持具の固定に関して溶接を含む任意の固定方法が採用可能であるため、固定の作業効率を考えても有利なものとなる。その結果、屋内側構造物を支持する支持具を好適に取り付けることができる。
【００１１】
第２の発明は、前記支持具は、前記梁の長手方向の長さ寸法が、前記孔部どうしの間隔よりも小さいものとなっていることを特徴とする。
【００１２】
支持具における梁長手方向の長さ寸法を、孔部どうしの間隔よりも小さいものとすることにより、梁の壁固定用の孔部と支持具との位置干渉を回避する上で、好都合な構成を実現できる。
【００１３】
第３の発明は、前記外壁部材は、前記ユニット式建物のモジュール寸法に基づき定められた幅寸法を有し、建物外壁部において複数の前記外壁部材が横並びに配置されており、前記外壁部材どうしの見切りとなりえる基準位置に、前記支持具が固定されていることを特徴とする。
【００１４】
梁に対して外壁部材を固定する場合、梁における壁固定位置、すなわち壁固定用の孔部の位置は、外壁部材どうしの見切り（境界部）から離れた位置となる。したがって、外壁部材どうしの見切りとなりえる基準位置に支持具を固定することで、梁の壁固定用の孔部と支持具との位置干渉を好適に回避できる。
【００１５】
第４の発明は、多層階建てであって、前記屋内側構造物として上階部及び下階部を繋ぐ階段構造部（１７）を有する前記ユニット式建物に適用され、前記上階部及び前記下階部の境界部には、前記階段構造部において踏み板（１８ａ）を固定するための下地面材（５１）が上下方向に延びる向きで設けられており、前記支持具は、前記屋内側構造物としての前記下地面材を支持するものであることを特徴とする。
【００１６】
ユニット式建物に階段構造部が設けられる場合、上下階で吹き抜ける吹き抜け空間において上下階の境界部に相当する部位に踏み板を固定する必要が生じることがあり、踏み板固定用の下地面材が支持具により支持される。かかる場合において、上記のような支持具の構成を採用することにより、上下階の境界部において階段構造部を構築する上で好適なる構成を実現できる。
【００１７】
第５の発明は、前記梁は、前記建物ユニットの天井大梁及（２２）び床大梁（２３）の少なくともいずれかの大梁であり、前記階段構造部は、前記建物ユニットにおいて前記大梁どうしの入隅部分に配置される前記踏み板を有し、前記入隅部分に配置される踏み板の二辺に沿って延びる前記各大梁に、それぞれ前記支持具が固定されていることを特徴とする。
【００１８】
階段構造部においては、建物ユニットの大梁どうしの入隅部分で踏み板が支持されることがあり、その踏み板の支持強度を高めるには踏み板の二辺に沿って延びる各大梁により踏み板が支持されるとよい。かかる構成において、踏み板を支持する二辺の大梁にそれぞれ支持具が固定されていることで、階段構造部を都合良く支持できる。またこの場合、階段構造部が建物外壁に隣接して設けられる構成であっても、外壁部材の取り付けを支障なく実施できる。
【００１９】
第６の発明は、前記建物ユニットは、前記梁として天井大梁（２２）及び床大梁（２３）の少なくともいずれかの大梁を有するとともに、その大梁に直交する向きに取り付けられる小梁（３５ａ）を有しており、前記階段構造部は、前記建物ユニットにおいて前記大梁と前記小梁との入隅部分に配置される前記踏み板を有し、前記入隅部分に配置される踏み板の二辺に沿って延びる前記大梁と前記小梁とに、それぞれ前記支持具が固定されていることを特徴とする。
【００２０】
階段構造部においては、建物ユニットの大梁と小梁との入隅部分で踏み板が支持されることがあり、その踏み板の支持強度を高めるには踏み板の二辺に沿って延びる大梁及び小梁により踏み板が支持されるとよい。かかる構成において、踏み板を支持する二辺の大梁及び小梁にそれぞれ支持具が固定されていることで、階段構造部を都合良く支持できる。またこの場合、階段構造部が建物外壁に隣接して設けられる構成であっても、外壁部材の取り付けを支障なく実施できる。
【００２１】
第７の発明は、前記入り隅部分に配置される前記踏み板は、昇降の向きを変えるための踊り場踏み板であることを特徴とする。
【００２２】
踊り場踏み板は人が昇降する際の向きを変える必要があることから、踊り場以外の踏み板と比べて、縦横二方向の踏み板寸法が大きくなる。この点、上記の支持構造を採用することで、好適なる支持構造を実現できる。
【図面の簡単な説明】
【００２３】
【図１】建物の縦方向の構成を示す概略図。
【図２】建物ユニットの構成を示す斜視図。
【図３】階段の平面図。
【図４】一階部分の建物ユニットについて天井部の骨組みの構成を示す平面図。
【図５】（ａ）は天井大梁の構成を示す正面図、（ｂ）は天井大梁の縦断面図。
【図６】図３のＡ−Ａ線断面図。
【図７】図３のＢ−Ｂ線断面図。
【図８】一階部分の建物ユニットについて天井部の骨組みの構成を示す平面図。
【発明を実施するための形態】
【００２４】
以下、本発明を具体化した一実施形態について図面を参照しつつ説明する。本実施形態では、複数の建物ユニットを用いて構築される鉄骨ラーメン構造のユニット式建物において本発明を具体化している。まず、ユニット式建物について、図１、図２を参照しつつ説明する。図１は建物１０の概略図、図２は建物ユニット２０の構成を示す斜視図である。
【００２５】
図１に示すように、住宅等の建物１０は、基礎１１の上に設けられた建物本体１２を有しており、建物本体１２の上には屋根が設けられている。建物本体１２は、下階部としての一階部分１４と、上階部としての二階部分１５とを有しており、これら一階部分１４と二階部分１５とは上下に隣り合っている。一階部分１４においては床面が一階床１４ａにより形成され、二階部分１５においては床面が二階床１５ａにより形成されている。一階部分１４及び二階部分１５は、いずれも複数の建物ユニット２０を有している。
【００２６】
建物１０は、一階部分１４と二階部分１５とに跨って設けられた階段空間１６と、この階段空間１６に設けられた階段１７とを有している。階段空間１６により、下階から上階に通じる吹き抜け空間が形成されている。階段１７は、複数の踏み板１８と、複数の蹴込み板１９とを有しており、一階部分１４と二階部分１５との行き来を可能にしている。
【００２７】
図２に示すように、建物ユニット２０は、四隅に配置された柱２１と、柱２１の上端部（上仕口）に連結された天井大梁２２と、柱２１の下端部（下仕口）に連結された床大梁２３とを有しており、これら柱２１、天井大梁２２、床大梁２３により直方体状の骨格（ユニット躯体）が形成されている。柱２１は四角筒状の角形鋼よりなる。また、天井大梁２２及び床大梁２３は断面コ字状の溝形鋼よりなり、溝部開放側を互いに向き合わせるようにユニット内側に向けて配置されている。
【００２８】
建物ユニット２０において長辺部（桁面）に沿って延び且つ相対する天井大梁２２の間には、所定間隔で複数の天井小梁２５が架け渡されている。同じく長辺部に沿って延び且つ相対する床大梁２３の間には、所定間隔で複数の床小梁２６が架け渡されている。天井小梁２５及び床小梁２６は、それぞれ同一の間隔で且つ短辺側（妻側）の天井大梁２２及び床大梁２３と平行に延びている。天井小梁２５及び床小梁２６は例えば角形鋼管よりなる。天井小梁２５によって天井面材２８が支持され、床小梁２６によって床面材２９が支持されている。
【００２９】
図３は階段１７の平面図である。階段１７は、平面視で昇降方向が略ロ字状をなす廻り階段になっている。階段１７において、二階床１５ａよりも一段下は略正方形状の踊り場踏み板１８ａとなっており、その踊り場踏み板１８ａでは昇降方向を９０度変えることが可能となっている。また、踊り場踏み板１８ａの下方に所定間隔で各段の踏み板１８が設けられている。なお、平面視で踊り場踏み板１８ａに隣合う二階床１５ａは、踊り場踏み板１８ａに通じる通路床部３１となっており、図３においては通路床部３１をドットハッチングにて示している。
【００３０】
建物１０は、階段空間１６の周縁部に沿って延びた周縁壁部３２と、階段１７の折り返し中央部分に設けられた中間壁部３３とを有しており、階段１７は、これら壁部３２，３３により建物ユニット２０内に固定されている。なお本実施形態では、階段１７と壁部３２，３３とが屋内側構造物に相当する。
【００３１】
次に、階段１７の支持構造について、特に一階部分１４と二階部分１５との境界部の構成を抽出して説明する。図４は、一階部分１４の建物ユニット２０について天井部の骨組みの構成を示す平面図である。なお図４には、踊り場踏み板１８ａと通路床部３１とを仮想的に示している。
【００３２】
図４に示すように、一階部分１４の建物ユニット２０において天井大梁２２で囲まれた部分には、階段１７を支持するための複数の小梁３５が固定されている。小梁３５は、長辺側の一対の天井大梁２２に直交し、かつその一対の天井大梁２２の間に架け渡して設けられる図の左右２カ所の小梁３５ａ，３５ｂと、その左右２つの小梁３５ａ，３５ｂに架け渡して設けられる小梁３５ｃとを含む。各小梁３５は、断面コ字状の溝形鋼よりなり、溝部開放側がユニット中央を向くようにして配置されている。なお、小梁３５として用いられる溝形鋼は、天井大梁２２とウェブ部の高さ寸法は同じであるが、フランジ幅が天井大梁２２よりも短いものとなっている。
【００３３】
各小梁３５は、階段１７の寸法に応じて配置されており、言うなれば平面視で階段空間１６を囲むように配置されている。この場合、三方の小梁３５ａ〜３５ｃと残り一方の天井大梁２２により、四方の周縁壁部３２が支持されるようになっている。
【００３４】
本実施形態では、平面視において天井大梁２２と小梁３５ａとの入隅部分に階段１７の踊り場踏み板１８ａが配置されるとともに、小梁３５ａに沿って踊り場踏み板１８ａと通路床部３１とが横並びで配置されている。
【００３５】
ここで、踊り場踏み板１８ａは、二階床１５ａの一部をなす通路床部３１の一段下にあり、高さ方向で言えば、一階ユニットと二階ユニットとの境界部付近、すなわちスタッキングラインＳＬ付近にある。この場合、天井大梁２２や小梁３５ａに対して踊り場踏み板１８ａを固定する必要があり、これら天井大梁２２及び小梁３５ａには溝形鋼の開口側に支持具としての複数のブラケット３７，３８が取り付けられ、そのブラケット３７，３８を介して踊り場踏み板１８ａ及びその周辺の構造部材が支持されている。つまり本実施形態では、図４に示すように、天井大梁２２と小梁３５ａとの入隅部分に踊り場踏み板１８ａが配置されており、踊り場踏み板１８ａの二辺に沿って延びる天井大梁２２と小梁３５ａとに、それぞれブラケット３７，３８が固定されている。
【００３６】
ところで、図５（ａ）に示すように、天井大梁２２のウェブには、その長手方向に所定間隔で外壁固定用の複数の貫通孔２２ａが設けられており、貫通孔２２ａを用いて外壁部材が固定されるようになっている。この場合、貫通孔２２ａにボルト等の締結具を差し入れることで外壁部材が固定されるが、天井大梁２２の長手方向で貫通孔２２ａに合致する位置において天井大梁２２の開口側にブラケット３７が存在していると、外壁部材の固定作業が不可又は極めて困難になることが考えられる。そこで本実施形態では、天井大梁２２の貫通孔２２ａに干渉しない位置にブラケット３７を配置することとしている。
【００３７】
より具体的には、図５（ｂ）に示すように、ブラケット３７は、長尺状の金属板の上下両端に折曲げ部３７ａを有しており、折曲げ部３７ａが天井大梁２２の上下のフランジの先端部に各々溶接されることで、天井大梁２２に対して固定されている。つまり、ブラケット３７は、天井大梁２２の開口側に、上下のフランジ部に跨がるようにして固定されている。なお、ブラケット３７は、溶接以外の手法で固定されていてもよく、例えばビス等の締結具により天井大梁２２に対して固定されていてもよい。
【００３８】
図５（ａ）に示すように、ブラケット３７は、天井大梁２２の長手方向に間隔Ｄ１で各々固定されている。本実施形態では、天井大梁２２に２５０ｍｍ間隔で４つのブラケット３７が固定されている。また、ブラケット３７における梁長手方向の長さ寸法は、貫通孔２２ａどうしの間隔よりも小さいものとなっている。なお、小梁３５ａにおいても同様の形態で４つのブラケット３８が固定されている。
【００３９】
ところで、建物１０においてはメータモジュール等によるモジュール寸法が定められており、外壁部材はモジュール寸法に基づき規定された幅寸法を有している。そして、天井大梁２２や床大梁２３に対して複数の外壁部材を横並びで取り付ける場合には、建物１０のモジュール寸法に応じて外壁部材の取付位置（見切り位置）が決められるようになっており、その外壁部材の取付位置に対応させた位置に貫通孔２２ａが形成されている。より詳しくは、図５（ａ）に示すように、貫通孔２２ａは２つを一組として所定距離Ｄ２を隔てて形成されており、その一方は左側の外壁部材用の固定孔、他方は右側の外壁部材用の固定孔となっている。この場合、各Ｌ１の位置が、外壁部材どうしの見切りとなりえる基準位置であり、本実施形態では、外壁部材どうしの見切りとなりえる位置（Ｌ１位置）に、ブラケット３７が固定されている。
【００４０】
踊り場踏み板１８ａを支持するための具体的な納まりについて説明する。図６は図３のＡ−Ａ線断面図、図７は図３のＢ−Ｂ線断面図である。なお、上階側建物ユニットの床部分には、通路床部３１を支持するための構成として、互いに直交する向きに床小梁２６ａ，２６ｂが設けられており、それゆえに図６及び図７にそれぞれ床小梁２６ａ，２６ｂの断面が示されている。
【００４１】
図６に示すように、建物１０の外壁部分には外壁部材としての外壁パネル４０が取り付けられている。外壁パネル４０は、外壁面材４１とその裏面に固定された下地フレーム４２とを有している。下地フレーム４２は、軽量形鋼が四角枠状に組まれて構成されている。外壁パネル４０は、一階部分１４及び二階部分１５において、天井大梁２２及び床大梁２３に下地フレーム４２の上端部及び下端部がそれぞれ固定されることで建物ユニット２０に対して取り付けられている。
【００４２】
より詳しくは、下地フレーム４２の上端部は、天井大梁２２の貫通孔２２ａに差し入れられたボルト及びナットの締結具４３により天井大梁２２に固定され、下地フレーム４２の下端部は、床大梁２３の貫通孔２３ａに差し入れられたボルト及びナットの締結具４４により床大梁２３に固定されている。なお、上下階の外壁面材４１の見切り部分には化粧胴差４５が取り付けられている。
【００４３】
また、屋内側の構成として、一階側の天井大梁２２と二階側の床大梁２３との屋内側には階段下地面材５１が設けられている。詳しくは、階段下地面材５１は、上下に並ぶ一階側の天井大梁２２と二階側の床大梁２３との下端から上端までよりも大きい上下寸法を有する板材であり、天井大梁２２の開口側に設けられたブラケット３７に対してビス等より固定されているとともに、床大梁２３の上に載置された根太５２に対してビス等より固定されている。階段下地面材５１は、天井大梁２２の下方及び床大梁２３の上方に設けられた内壁フレーム５３，５４の屋内側側面と面一の壁下地面を形成するものであり、その壁下地面に、石膏ボード等からなる内壁面材５５が固定されている。これにより、外壁に沿う部分において周縁壁部３２が形成されている。
【００４４】
そして、階段下地面材５１と内壁面材５５との重ね合わせ部分に、内壁面材５５の側から階段支持部材５６がビス等により固定されている。また、階段支持部材５６の上に踏み板受け部材５７，５８が固定され、これら踏み板受け部材５７，５８により踊り場踏み板１８ａが支持されている。なお、通路床部３１は、上階側の建物ユニット２０の床小梁２６ａに支持されている。
【００４５】
また、図７では、図６の構成とは異なり、下階側建物ユニットの小梁３５ａと上階側建物ユニットの床小梁２６ｂとが上下に並んで配置されており、これら小梁３５ａと床小梁２６ｂとに対して階段下地面材６１が固定されている。詳しくは、階段下地面材６１は、図６に示す階段下地面材５１と同様の板材であり、小梁３５ａの開口側に設けられたブラケット３８に対してビス等より固定されているとともに、上階側の床小梁２６ｂに対してビス等より固定されている。階段下地面材６１には石膏ボード等からなる内壁面材６２が固定されており、これにより周縁壁部３２の一部が形成されている。
【００４６】
そして、階段下地面材６１と内壁面材６２との重ね合わせ部分に、内壁面材６２の側から階段支持部材６３がビス等により固定されている。また、階段支持部材６３の上に踏み板受け部材６４，６５が固定され、これら踏み板受け部材６４，６５により踊り場踏み板１８ａが支持されている。
【００４７】
図６及び図７のように踊り場踏み板１８ａが支持されることで、上下階の境界部付近に位置する踊り場踏み板１８ａが壁側の二方向から安定した状態で強固に保持されるようになっている。
【００４８】
以上詳述した本実施形態によれば、以下の優れた効果が得られる。
【００４９】
階段１７及びその周辺部材を支持するためのブラケット３７を、天井大梁２２の長手方向において壁固定用の貫通孔２２ａと干渉しない位置に固定する構成にしたため、天井大梁２２に対して外壁部材を固定する際においてその固定作業に支障が及ぶことを抑制できる。また、ブラケット３７の固定に関して溶接を含む任意の固定方法が採用可能であるため、固定の作業効率を考えても有利なものとなる。その結果、天井大梁２２に対してブラケット３７を好適に取り付けることができる。
【００５０】
ブラケット３７における梁長手方向の長さ寸法を、貫通孔２２ａどうしの間隔よりも小さいものとした。これにより、天井大梁２２の貫通孔２２ａとブラケット３７との位置干渉を回避する上で、好都合な構成を実現できる。
【００５１】
天井大梁２２に対して複数の外壁部材を固定する場合、天井大梁２２における壁固定位置、すなわち壁固定用の貫通孔２２ａの位置は、外壁部材どうしの見切り（境界部）から離れた位置となる。この点に着目して、外壁部材どうしの見切りとなりえる基準位置にブラケット３７を固定する構成にしたため、壁固定用の貫通孔２２ａとブラケット３７との位置干渉を好適に回避できる。
【００５２】
建物１０の上下階の境界部において、天井大梁２２及び小梁３５ａに設けたブラケット３７，３８により、踊り場踏み板１８ａを固定するための階段下地面材５１，６１を支持する構成とした。かかる場合において、上記のようなブラケット３７，３８の構成を採用することにより、上下階の境界部において階段１７を構築する上で好適なる構成を実現できる。
【００５３】
天井大梁２２と小梁３５ａとの入隅部分に階段１７の踊り場踏み板１８ａが設けられる構成において、踊り場踏み板１８ａの二辺に沿って延びる天井大梁２２及び小梁３５ａにブラケット３７，３８を設け、その天井大梁２２及び小梁３５ａにより踊り場踏み板１８ａを支持する構成にした。そのため、踊り場踏み板１８ａの支持強度を高めることができ、階段１７を都合良く支持できる。
【００５４】
踊り場踏み板１８ａは人が昇降する際の向きを変える必要があることから、踊り場以外の踏み板１８と比べて、縦横二方向の踏み板寸法が大きくなる。この点、上記の支持構造を採用することで、好適なる支持構造を実現できる。
【００５５】
［他の実施形態］
本発明は上記実施形態の記載内容に限定されず、例えば次のように実施されてもよい。
【００５６】
・上記実施形態では、図４に示すように、天井大梁２２と小梁３５ａとの入隅部分に、階段１７の踊り場踏み板１８ａを配置する構成としたが、これに代えて、図８に示すように、天井大梁２２どうしの入隅部分に踊り場踏み板１８ａを配置する構成としてもよい。この場合、踊り場踏み板１８ａの二辺に沿って延びる各天井大梁２２に、それぞれブラケット３７を固定し、各天井大梁２２により踊り場踏み板１８ａが支持される構成にする。これにより、やはり踊り場踏み板１８ａの支持強度を高めることができ、階段１７を都合良く支持できる。
【００５７】
・上記実施形態では、建物ユニット２０の天井大梁２２に支持具としてのブラケット３７を固定する構成としたが、これに代えて、床大梁２３にブラケット３７を固定する構成、又は天井大梁２２及び床大梁２３にブラケット３７を固定する構成であってもよい。
【００５８】
・階段１７において、ブラケット３７，３８により、踊り場踏み板１８ａではない別の踏み板１８を支持する構成であってもよい。
【００５９】
・吹き抜け空間（階段部以外）を有する多層階建て建物において、屋内構造物として吹き抜け空間の内壁を設け、その内壁を支持具としてのブラケットにより支持する構成としてもよい。
【符号の説明】
【００６０】
１０…建物、１７…階段（屋内構造物）、１８ａ…踊り場踏み板、２０…建物ユニット、２１…柱、２２…天井大梁、２２ａ…貫通孔、２３…床大梁、３７…ブラケット（支持具）、３８…ブラケット（支持具）、４０…外壁パネル（外壁部材）、５１…階段下地面材。
【図１】
0006507052.tif 000002
【図２】
0006507052.tif 000003
【図３】
0006507052.tif 000004
【図４】
0006507052.tif 000005
【図５】
0006507052.tif 000006
【図６】
0006507052.tif 000007
【図７】
0006507052.tif 000008
【図８】
0006507052.tif 000009